(57)【要約】ＩＣカードの発行後にカードにアプリケーションを追加インストールできるようにすることで発行をすばやく行えるようにしたシステム。ＩＣカードは典型的にはクレジット会社のカードである。顧客からの申し込みがあると、中央センター装置（２０）では与信審査部（２１）の結果に基づき発行情報を送信してカードを発行するが、このときカードにはアプリケーションはインストールされていない。その後は、随時、顧客からのダウンロード要求に応じて追加のアプリケーションを送信する。それらは典型的にはバンキング、ホームセキュリティ、身分証明など提携他社の提供するサービスであり、カードとしての有用性を高め、クレジット取引を含めて利用を促進することができる。
2002093443.tif 000002
【特許請求の範囲】
【請求項１】
ＩＣチップを具備したカード（ＩＣカード）を発行する第１の装置と、前記ＩＣカードにアプリケーションをインストールする第２の装置と、前記第１の装置及び前記第２の装置を制御する第３の装置とを備えたＩＣカード用アプリケーション管理システムであって、
前記第１の装置は、
顧客により入力されたＩＣカード申込に係る情報を送信する申込情報送信手段と、
前記第３の装置により送信された前記顧客を識別する情報を、前記ＩＣカードに記録するＩＣカード発行手段とを有し、
前記第２の装置は、
前記顧客を識別する情報を送信することによって、前記ＩＣカードにアプリケーションをインストールするように要求する要求手段と、
前記第３の装置により送信されたアプリケーションを、前記ＩＣカードにインストールするＩＣカード処理手段とを有し、
前記第３の装置は、
前記第１の装置により送信された前記ＩＣカード申込に係る情報に応じて、前記顧客の与信を審査する与信審査手段と、
前記審査の結果、該顧客に対して与信が認められた場合に、前記顧客を識別する情報を前記第１の装置に送信する発行情報送信手段と、
前記ＩＣカードにインストールするアプリケーションに、前記顧客を識別する情報を関連付けて記憶するアプリケーション記憶手段と、
前記第２の装置により送信された前記顧客を識別する情報に応じて、前記アプリケーション記憶手段から該当するアプリケーションを抽出し前記第２の装置に送信するアプリケーション送信手段とを有することを特徴とするＩＣカード用アプリケーション管理システム。
【請求項２】
前記第１の装置は、クレジットカード自動契約機であり、前記第２の装置は、ＡＴＭ（Ａｕｔｏｍａｔｅｄ  Ｔｅｌｌｅｒ  Ｍａｃｈｉｎｅ）であることを特徴とする請求の範囲第１項記載のＩＣカード用アプリケーション管理システム。
【請求項３】
前記第３の装置は、他のシステムにより送信された前記ＩＣカードにインストールするアプリケーションを生成するように要求するための情報に応じて、アプリケーションを生成するアプリケーション生成手段を有し、
前記アプリケーション記憶手段は、生成された前記アプリケーションに、前記顧客を識別する情報を関連付けて記憶することを特徴とする請求の範囲第１項記載のＩＣカード用アプリケーション管理システム。
【請求項４】
前記第１の装置は、クレジットカード自動契約機であり、前記第２の装置は、ＡＴＭ（Ａｕｔｏｍａｔｅｄ  Ｔｅｌｌｅｒ  Ｍａｃｈｉｎｅ）であることを特徴とする請求の範囲第３項記載のＩＣカード用アプリケーション管理システム。
【請求項５】
前記第３の装置は、金融機関のシステムにより送信された前記ＩＣカードにインストールする金融取引用アプリケーションを生成するように要求するための情報に応じて、該金融取引用アプリケーションを生成するアプリケーション生成手段を有し、
前記与信審査手段は、前記第１の装置又は前記金融機関のシステムにより送信された前記ＩＣカード申込に係る情報に応じて、前記顧客の与信を審査し、
前記アプリケーション記憶手段は、生成された前記金融取引用アプリケーションに、前記顧客を識別する情報を関連付けて記憶することを特徴とする請求の範囲第１項記載のＩＣカード用アプリケーション管理システム。
【請求項６】
前記第１の装置は、クレジットカード自動契約機であり、前記第２の装置は、ＡＴＭ（Ａｕｔｏｍａｔｅｄ  Ｔｅｌｌｅｒ  Ｍａｃｈｉｎｅ）であることを特徴とする請求の範囲第５項記載のＩＣカード用アプリケーション管理システム。
【請求項７】
前記第３の装置は、セキュリティ会社のシステムからの要求に応じて、電子鍵用アプリケーションを生成するアプリケーション生成手段を有し、
前記アプリケーション記憶手段は、生成された前記電子鍵用アプリケーションに、前記顧客を識別する情報を関連付けて記憶することを特徴とする請求の範囲第１項記載のＩＣカード用アプリケーション管理システム。
【請求項８】
前記第１の装置は、クレジットカード自動契約機であり、前記第２の装置は、ＡＴＭ（Ａｕｔｏｍａｔｅｄ  Ｔｅｌｌｅｒ  Ｍａｃｈｉｎｅ）であることを特徴とする請求の範囲第７項記載のＩＣカード用アプリケーション管理システム。
【請求項９】
ＩＣチップを具備したカード（ＩＣカード）を発行し、前記ＩＣカードにアプリケーションをインストールするためのＩＣカード用アプリケーション管理方法であって、
第１の装置において、顧客により入力されたＩＣカード申込に係る情報を送信する第１工程と、
第３の装置において、前記第１の装置により送信された前記ＩＣカード申込に係る情報に応じて、前記顧客の与信を審査する第２工程と、
前記第３の装置において、前記審査の結果、該顧客に対して与信が認められた場合に、前記顧客を識別する情報を前記第１の装置に送信する第３工程と、
前記第１の装置において、前記第３の装置により送信された前記顧客を識別する情報を、前記ＩＣカードに記録する第４工程と、
前記第３の装置において、前記ＩＣカードにインストールするアプリケーションに、前記顧客を識別する情報を関連付けて記憶する第５工程と、
第２の装置において、前記顧客を識別する情報を送信することによって、前記ＩＣカードにアプリケーションをインストールするように要求する第６工程と、
前記第３の装置において、前記第２の装置により送信された前記顧客を識別する情報に応じて、該当するアプリケーションを抽出し前記第２の装置に送信する第７工程と、Ｉ
前記第２の装置において、前記第３の装置により送信された前記アプリケーションを、前記ＩＣカードにインストールする第８工程と有することを特徴とするＩＣカード用アプリケーション管理方法。
【請求項１０】
前記第１の装置は、クレジットカード自動契約機であり、前記第２の装置は、ＡＴＭ（Ａｕｔｏｍａｔｅｄ  Ｔｅｌｌｅｒ  Ｍａｃｈｉｎｅ）であることを特徴とする請求の範囲第９項記載のＩＣカード用アプリケーション管理方法。
【請求項１１】
他のシステムにおいて、前記ＩＣカードにインストールするアプリケーションを生成するように要求するための情報を送信する工程と、
前記第３の装置において、前記ＩＣカードにインストールするアプリケーションを生成するように要求するための情報に応じて、アプリケーションを生成する工程とを有し、
前記第５工程において、生成された前記アプリケーションに、前記顧客を識別する情報を関連付けて記憶することを特徴とする請求の範囲第９項記載のＩＣカード用アプリケーション管理方法。
【請求項１２】
前記第１の装置は、クレジットカード自動契約機であり、前記第２の装置は、ＡＴＭ（Ａｕｔｏｍａｔｅｄ  Ｔｅｌｌｅｒ  Ｍａｃｈｉｎｅ）であることを特徴とする請求の範囲第１１項記載のＩＣカード用アプリケーション管理方法。
【請求項１３】
金融機関のシステムにおいて、顧客のＩＣカード申込に係る情報を送信する工程と、
前記金融機関のシステムにおいて、前記ＩＣカードにインストールする金融取引用アプリケーションを生成するように要求するための情報を送信する工程と、
前記第３の装置において、前記ＩＣカードにインストールする金融取引用アプリケーションを生成するように要求するための情報に応じて、前記金融取引用アプリケーションを生成する工程とを有し、
前記第２工程において、前記金融機関のシステムにより送信された前記ＩＣカード申込に係る情報に応じて、前記顧客の与信を審査し、
前記第５工程において、生成された前記金融取引用アプリケーションに、前記顧客を識別する情報を関連付けて記憶することを特徴とする請求の範囲第９項記載のＩＣカード用アプリケーション管理方法。
【請求項１４】
前記第１の装置は、クレジットカード自動契約機であり、前記第２の装置は、ＡＴＭ（Ａｕｔｏｍａｔｅｄ  Ｔｅｌｌｅｒ  Ｍａｃｈｉｎｅ）であることを特徴とする請求の範囲第１３項記載のＩＣカード用アプリケーション管理方法。
【請求項１５】
セキュリティ会社のシステムにおいて、前記ＩＣカードにインストールする電子鍵用アプリケーションを生成するように要求するための情報を送信する工程と、
前記第３の装置において、前記ＩＣカードにインストールする電子鍵用アプリケーションを生成するように要求するための情報に応じて、前記電子鍵用アプリケーションを生成する工程とを有し、
前記第５工程において、生成された前記電子鍵用アプリケーションに、前記顧客を識別する情報を関連付けて記憶することを特徴とするＩＣカード用アプリケーション管理方法。
【請求項１６】
前記第１の装置は、クレジットカード自動契約機であり、前記第２の装置は、ＡＴＭ（Ａｕｔｏｍａｔｅｄ  Ｔｅｌｌｅｒ  Ｍａｃｈｉｎｅ）であることを特徴とする請求の範囲第１５項記載のＩＣカード用アプリケーション管理方法。
【請求項１７】
第１の装置により送信されたＩＣカード申込に係る情報に応じて、顧客の与信を審査する与信審査手段と、
前記審査の結果、該顧客に対して与信が認められた場合に、前記顧客を識別する情報を前記第１の装置に送信する発行情報送信手段と、
前記ＩＣカードにインストールするアプリケーションに、前記顧客を識別する情報を関連付けて記憶するアプリケーション記憶手段と、
第２の装置により送信された前記顧客を識別する情報に応じて、前記アプリケーション記憶手段から該当するアプリケーションを抽出し前記第２の装置に送信するアプリケーション送信手段とを有することを特徴とする装置。
【発明の詳細な説明】
技術分野
本発明は、ＩＣ（Ｉｎｔｅｇｒａｔｅｄ  Ｃｉｒｃｕｉｔ）チップを搭載したカード、すなわちＩＣカード用アプリケーション管理システム及び管理方法に関する。
背景技術
近年において、様々な機能を具備したＩＣカードが普及してきている。従来、これらのＩＣカードは、必要な全ての機能を実現するアプリケーションがインストールされた状態で発行されている。
しかしながら、上述の方法では、ＩＣカードを発行するに際して、必要な全ての機能を実現するアプリケーションをインストールする必要があるため、ＩＣカードの発行に時間がかかるという問題点がある。また、上述の方法では、ＩＣカード発行後の事情の変化（新規アプリケーションのインストールの必要性等）に対応して、ＩＣカード上のアプリケーションの追加・変更を可能にする手段が存在しないという問題点がある。
そこで、本発明は、以上の点に鑑みてなされたもので、ＩＣカードの発行にかかる時間を短縮し、ＩＣカードの発行後にインストールするアプリケーションの追加・変更を可能にするＩＣカード用アプリケーション管理システム及び管理方法を提供することを目的とする。
発明の開示
本発明に係るＩＣカード用アプリケーション管理システムは、ＩＣチップを具備したカード（ＩＣカード）を発行する第１の装置と、前記ＩＣカードにアプリケーションをインストールする第２の装置と、前記第１の装置及び前記第２の装置を制御する第３の装置とを備えたものであって、第１の装置が、顧客により入力されたＩＣカード申込に係る情報を送信する申込情報送信手段と、第３の装置により送信された前記顧客を識別する情報を、前記ＩＣカードに記録するＩＣカード発行手段とを有し、第２の装置が、前記顧客を識別する情報を送信することによって前記ＩＣカードにアプリケーションをインストールするように要求する要求手段と、第３の装置により送信されたアプリケーションを前記ＩＣカードにインストールするＩＣカード処理部とを有し、第３の装置が、第１の装置により送信された前記ＩＣカード申込に係る情報に応じて前記顧客の与信を審査する与信審査手段と、前記審査の結果該顧客に対して与信が認められた場合に前記顧客を識別する情報を第１の装置に送信する発行情報送信手段と、前記ＩＣカードにインストールするアプリケーションに前記顧客を識別する情報に関連付けて記憶するアプリケーション記憶手段と、第２の装置により送信された前記顧客を識別する情報に応じて前記アプリケーション記憶手段から該当するアプリケーションを抽出し前記第２の装置に送信するアプリケーション送信手段とを有することを特徴とするものである。
この発明によれば、ＩＣカードの発行の際に、第１の装置のＩＣカード発行手段が、第３の装置により送信された前記顧客を識別する情報をＩＣカードに記録することによってＩＣカードを発行し、アプリケーションのインストールを行わないので、ＩＣカードの発行にかかる時間を短縮することができる。また、この発明によれば、ＩＣカードの発行の後に、第２の装置の要求手段が、ＩＣカードにアプリケーションをインストールするように要求するために、顧客を識別する情報を送信し、第２の装置のＩＣカード処理部が、前記第３の装置により送信されたアプリケーションを、前記ＩＣカードにインストールするので、ＩＣカードにインストールするアプリケーションを追加・変更することができる。
発明を実施するための最良の形態
（ＩＣカード用アプリケーション管理システムの構成）
本発明の実施形態について図面を参照しながら説明する。図１は、本実施形態に係るＩＣカード用アプリケーション管理システムを示す概略構成図である。
本実施形態に係るＩＣカード用アプリケーション管理システムは、ＩＣカード発行装置１０において、磁気情報のみを有するＩＣカードを発行し、その後、ＡＴＭ（Ａｕｔｏｍａｔｅｄ  Ｔｅｌｌｅｒ  Ｍａｃｈｉｎｅ）４０やダウンロード装置５０を介して、発行済のＩＣカードに、各種アプリケーションをインストールするものである。ここで、「ＩＣカード」とは、接触型、非接触型を問わず、ＩＣチップを搭載したプラスチックカードのことをいう。例えば、ＩＣカードには、ＩＣチップを搭載した定期券や社員証等の多くのものが含まれるが、本実施形態では、金融取引用ＩＣカード、特にＩＣクレジットカードについて説明する。
図１に示すように、本実施形態に係るＩＣカード用アプリケーション管理システムは、ＩＣカード発行装置１０と、中央センター装置２０と、ＡＴＭ３０と、ダウンロード装置４０とを備えている。
ＩＣカード発行装置１０は、例えば、無人店舗等に設置されたクレジットカード自動契約機の一部機能として実現されており、顧客の申込に応じて、ＩＣクレジットカードを発行する第１の装置である。ＩＣカード発行装置１０により発行されるＩＣクレジットカード５のＩＣチップ５ａ（図８参照）には、ＩＣチップ用のＯＳである「ＩＣ−ＯＳ」だけがインストールされており、その他のアプリケーションは、インストールされていない。具体的には、ＩＣカード発行装置１０は、図２に示すように、ユーザインターフェイス部１１と、申込情報送信部１２と、発行情報受信部１３と、ＩＣカード発行部１４とを有している。
ユーザインターフェイス部１１は、申込情報送信部１２に接続されており、「申込情報」を顧客に入力させるものである。「申込情報」は、申込意思に係る情報に加えて、与信審査に必要な個人情報をも含む「申込に係る情報」である。ユーザインターフェイス部１１は、タッチパネル式ディスプレイ装置、スキャナ装置、ビデオカメラ装置、通信機器等で構成される。ユーザインターフェイス部１１は、上述のクレジットカード自動契約機のユーザインターフェイス機能を共用する形態で構成されていてもよい。
申込情報送信部１２は、ユーザインターフェイス部１１と公衆回線等のネットワーク１とに接続されており、ユーザインターフェイス部１１を介して顧客により入力された申込情報を、ネットワーク１を介して中央センター装置２０に送信する申込情報送信手段である。
発行情報受信部１３は、ＩＣカード発行部１４とネットワーク１とに接続されており、中央センター装置２０から送信される発行情報を受信するものである。「発行情報」には、「エンボス情報」、「磁気情報」、及び発行するＩＣクレジットカード５に搭載されたＩＣチップ５ａ（図８参照）のシリアル番号等が含まれる。「エンボス情報」は、ＩＣクレジットカードのエンボス５ｃ（図８参照）に表示される情報であって、顧客を識別する情報（会員番号）、会員の氏名、有効期限等で構成される。「磁気情報」は、ＩＣクレジットカード５の磁気ストライプ５ｂ（図８参照）に記憶される情報であって、顧客を識別する情報（会員番号）、企業コード等で構成される。
ＩＣカード発行部１４は、発行情報受信部１３に接続されており、発行情報受信部１３により受信された「発行情報」を、ＩＣクレジットカードの磁気ストライプ５ｂ及びエンボス５ｃに記録することで、ＩＣクレジットカードを発行するＩＣカード発行手段である。
中央センター装置２０は、例えば、クレジットカード会社等に設置されており、ＩＣクレジットカードの発行に係る機能、及びＩＣクレジットカード用アプリケーションのダウンロードに係る機能等を備える第３の装置である。中央センター装置２０は、複数の装置によって構成されていてもよい。具体的には、中央センター装置２０は、図３に示すように、与信審査部２１と、顧客情報記憶部２２と、発行情報送信部２３と、アプリケーション記憶部２４と、ダウンロード要求受信部２５と、アプリケーション送信部２６と、アプリケーション生成要求受信部２７とを有している。
与信審査部２１は、顧客情報記憶部２２と発行情報送信部２３とネットワーク１とに接続されており、顧客２によりＩＣカード発行装置１０を介して送信された「申込情報」と、顧客情報記憶部２２に記憶されている「顧客情報」とに基づいて、この顧客２の与信審査を行うものである。また、与信審査部２１は、この顧客２に与信が認められた場合に、その結果を発行情報送信部２３に送信するものである。顧客情報記憶部２２は、与信審査部２１に接続されており、与信審査に必要な顧客情報を記憶しているものである。
発行情報送信部２３は、与信審査部２１とアプリケーション記憶部２４とネットワーク１とに接続されており、与信審査部２１からの上述の結果に応じて、上述の「発行情報」を生成し、ネットワーク１を介してＩＣカード発行装置１０にこの発行情報を送信する発行情報送信手段である。また、発行情報送信部２３は、与信審査部２１からの上述の結果に応じて、顧客２に対して発行するＩＣクレジットカード５のＩＣチップ５ａにインストールするアプリケーションを生成し、アプリケーション記憶部２４に記憶するように指示するものである。
アプリケーション記憶部２４は、発行情報送信部２３とアプリケーション送信部２６とアプリケーション生成要求受信部２７とに接続されており、発行情報送信部２３及びアプリケーション生成要求受信部２７からの指示に応じて、ＩＣクレジットカードのＩＣチップ５ａにインストールするアプリケーションを、顧客を識別する情報（会員番号）及び該ＩＣチップ５ａのシリアル番号と関連付けて記憶するアプリケーション記憶手段である。また、アプリケーション記憶部２４は、アプリケーション送信部２６からの検索要求に応じて、該当するアプリケーションを提供するものである。
ダウンロード要求受信部２５は、アプリケーション送信部２６とネットワーク１とに接続されており、顧客２によりＡＴＭ３０又はダウンロード装置４０を介して送信された「ダウンロード要求」を受信するものである。「ダウンロード要求」は、少なくとも顧客を識別する情報（会員番号）を含む。
アプリケーション送信部２６は、ダウンロード要求受信部２５とアプリケーション記憶部２４とネットワーク１とに接続されており、ダウンロード要求受信部２５により受信された「ダウンロード要求」に応じて、アプリケーション記憶部２４を検索し、ダウンロード要求を送信した顧客２に係るＩＣクレジットカード用のアプリケーションを、ＡＴＭ３０又はダウンロード装置４０に送信するアプリケーション送信手段である。アプリケーション送信部２６は、上述の「ダウンロード要求」に応じてアプリケーション記憶部２４を検索し、顧客２に対してインストール可能なアプリケーションのリストを送信した後、顧客２によって選択されたアプリケーションを送信するものであってもよい。
アプリケーション生成要求受信部２７は、ネットワーク１に接続されており、他社システム又は中央センター装置２０の運用者等からのアプリケーション生成要求を受信し、該当するアプリケーションを生成し、アプリケーション記憶部２４に記憶するように指示するアプリケーション生成手段である。
ＡＴＭ３０は、例えば、クレジットカード会社や銀行等の無人店舗等に設置された既存のＡＴＭであり、顧客の要求に応じて、ＩＣクレジットカードのＩＣチップ５ａにアプリケーションをダウンロードしインストールする第２の装置である。具体的には、ＡＴＭ３０は、図４に示すように、ＩＣカード処理部３１と、ユーザインターフェイス部３２と、ダウンロード要求送信部３３と、アプリケーション受信部３４とを有している。
ＩＣカード処理部３１は、ユーザインターフェイス部３２とダウンロード要求送信部３３とアプリケーション受信部３４とに接続されており、ＩＣクレジットカードを挿入する部分を備え、挿入されたＩＣクレジットカードの磁気ストライプ５ｂから「顧客を識別する情報（会員番号）」と「ＩＣチップ５ａのシリアル番号」とを読み取るものである。また、ＩＣカード処理部３１は、アプリケーション受信部３４により受信されたアプリケーションを、ＩＣカードにインストールするものである。
ユーザインターフェイス部３２は、ＩＣカード処理部３１とダウンロード要求送信部３３とに接続されており、ＩＣチップ５ａにインストールするアプリケーションをダウンロードするための要求指示を顧客に入力させるものである。また、ユーザインターフェイス部３２は、アプリケーション受信部３４により受信された上述のアプリケーションのリストを表示し、顧客２に上述のアプリケーションのリストの中からインストールを望むアプリケーションを選択させるものである。ユーザインターフェイス部３２は、タッチパネル式ディスプレイ装置、スキャナ装置、ビデオカメラ装置、通信機器等で構成される。ユーザインターフェイス部３２は、既存のＡＴＭのユーザインターフェイス機能を共用する形態で構成されていてもよい。
ダウンロード要求送信部３３は、ＩＣカード処理部３１とユーザインターフェイス部３２とネットワーク１とに接続されており、ＩＣカード処理部３１により読み取られた「顧客を識別する情報（会員番号）」及び「ＩＣチップ５ａのシリアル番号」と、ユーザインターフェイス部３２により入力された要求指示とを含む「ダウンロード要求」を、中央センター装置２０に送信するものである。また、ダウンロード要求送信部３３は、ユーザインターフェイス部３を介して顧客２により選択されたアプリケーションに係る情報を、中央センター装置２０に送信するものである。
アプリケーション受信部３４は、ＩＣカード処理部３１とネットワーク１とに接続されており、中央センター装置２０から送信されたアプリケーションを受信（ダウンロード）するものである。また、アプリケーション受信部３４は、中央センター装置２０から送信された上述のアプリケーションのリストを受信するものである。
ダウンロード装置４０は、例えば、クレジットカード会社の有人店舗に設置されており、ＩＣクレジットカードにＩＣチップ５ａにアプリケーションをインストールするための第２の装置であって、ＩＣカードリーダ及びＰＣ端末から構成される専用装置である。具体的には、ダウンロード装置４０は、図４に示すように、ＩＣカード処理部４１と、ユーザインターフェイス部４２と、ダウンロード要求送信部４３と、アプリケーション受信部４４とを有している。これらは、ＡＴＭ３０のＩＣカード処理部３１とユーザインターフェイス部３２とダウンロード要求送信部３３とアプリケーション受信部３４と、それぞれ同じ機能及び同じ接続形態を有する。ただし、顧客２は、ダウンロード装置４０のユーザインターフェイス部４２を介して、ＩＣチップ５ａにインストールされているアプリケーションの一部を変更することができる。
（ＩＣカード用アプリケーション管理システムの動作）
上記構成を有するＩＣカード用アプリケーション管理システムの動作は、以下の手順により行われる。
図５は、本実施形態に係るＩＣカードアプリケーション管理システムにおいて、ＩＣクレジットカードを発行する動作を示すタイムチャート図である。
図５に示すように、ステップ１０１において、顧客２が、ＩＣカード発行装置１０のユーザインターフェイス部１１を介して「申込情報」を入力する。ステップ１０２において、ＩＣカード発行装置１０の申込情報送信部１２が、上述の「申込情報」をネットワーク１を介して中央センター装置２０に送信し、中央センター装置２０の与信審査部２１が、この「申込情報」を受信する。
ステップ１０３において、与信審査部２１が、受信した「申込情報」と、顧客情報記憶部２２に記憶されている顧客情報とに基づいて、この顧客２の与信審査を行う。
ステップ１０４において、発行情報送信部２３が、与信審査部２１により顧客２に与信が認められた場合、上述の「発行情報」を生成する。また、発行情報送信部２３は、与信審査部２１からの上述の結果に応じて、顧客２に対して発行するＩＣクレジットカード５のＩＣチップ５ａにインストールするアプリケーションを生成し、アプリケーション記憶部２４に記憶するように指示する。ステップ１０５において、中央センター装置２０の発行情報送信部２３が、生成された「発行情報」を、ネットワーク１を介してＩＣカード発行装置１０に送信し、ＩＣカード発行装置１０の発行情報受信部１３が、この「発行情報」を受信する。
ステップ１０６において、ＩＣカード発行装置１０のＩＣカード発行部１４が、受信した「発行情報」に含まれる「磁気情報」を磁気ストライプ５ｂに記録し、受信した「発行情報」に含まれる「エンボス情報」に基づいてエンボス５ｃを生成することによって、ＩＣクレジットカード５を発行する。この際、ＩＣクレジットカード５のＩＣチップ５ａには「ＩＣ−ＯＳ」以外のアプリケーションはインストールされていない。
図６は、本実施形態に係るＩＣカードアプリケーション管理システムにおいて、発行済みのＩＣクレジットカードのＩＣチップ５ａにアプリケーションをインストールする動作を示すタイムチャート図である。
図６に示すように、ステップ２０１において、顧客２が、発行済みのＩＣクレジットカード５を、ＡＴＭ３０（ダウンロード装置４０）のＩＣカード処理部３１（４１）に挿入し、ＩＣカード処理部３１（４１）が、磁気ストライプ５ｂから「会員番号」及び「ＩＣチップ５ａのシリアル番号」を読み取る。また、顧客２は、ＡＴＭ３０（ダウンロード装置４０）のユーザインターフェイス部３２（４２）を介して、ＩＣチップ５ａにインストールするアプリケーションをダウンロードするための指示を入力する。
ステップ２０２において、ＡＴＭ３０（ダウンロード装置４０）のダウンロード要求部３３（４３）が、上述の「会員番号」及び「ＩＣチップ５ａのシリアル番号」と、上述のダウンロードするための指示とに基づいて、「ダウンロード要求」を生成し、ネットワーク１を介して中央センター装置２０に送信する。そして、中央センター装置２０のダウンロード要求受信部２５が、この「ダウンロード要求」を受信する。
ステップ２０３において、アプリケーション送信部２６が、「ダウンロード要求」に基づいて、アプリケーション記憶部２４を検索し、顧客２に関連付けられたアプリケーションのリストを生成する。
ステップ２０４において、アプリケーション送信部２６が、上述の生成したアプリケーションのリストを、ネットワーク１を介してＡＴＭ３０（ダウンロード装置４０）に送信し、アプリケーション受信部３４（４４）が、このリストを受信する。
ステップ２０５において、顧客２が、ユーザインターフェイス３２（４２）を介して、上述のリストの中からインストールを望むアプリケーションを選択する。
ステップ２０６において、ダウンロード要求送信部３３（４３）が、上述の選択結果を、ネットワーク１を介してＡＴＭ３０（ダウンロード装置４０）に送信し、ダウンロード要求受信部２５が、この選択結果を受信する。
ステップ２０７において、アプリケーション送信部２６が、この選択結果に基づいて、アプリケーション記憶部２４を検索し、顧客２に関連付けられたアプリケーションを抽出し、抽出したアプリケーションをネットワーク１を介してＡＴＭ３０（ダウンロード装置４０）に送信し、ＡＴＭ３０（ダウンロード装置４０）のアプリケーション受信部３４（４４）が、このアプリケーションを受信する。
ステップ２０８において、ＡＴＭ３０（ダウンロード装置４０）のＩＣカード処理部３１（４１）が、このアプリケーションを、ＩＣクレジットカード５のＩＣチップ５ａにインストールする。
（ＩＣカード用アプリケーション管理システムの作用・効果）
本発明に係るＩＣカード用アプリケーション管理システムによれば、ＩＣカードの発行の際に、ＩＣカード発行装置１０のＩＣカード発行部１４が、中央センター装置２０により送信された発行情報をＩＣクレジットカードに記録することによってＩＣクレジットカードを発行し、アプリケーションのインストールを行わないので、ＩＣクレジットカードの発行にかかる時間を短縮することができる。また、本発明に係るＩＣカード用アプリケーション管理システムによれば、ＩＣクレジットカードの発行の後に、ＡＴＭ３０又はダウンロード装置４０のダウンロード要求部３３（４３）が、ダウンロード要求を送信し、ＡＴＭ３０又はダウンロード装置４０のＩＣカード処理部３１（４１）が、中央センター装置２０により送信されたアプリケーションを、前記ＩＣクレジットカードにインストールするので、ＩＣクレジットカードにインストールするアプリケーションを追加・変更することができる。
（ＩＣカード用アプリケーション管理システムを用いたビジネスモデル）
図６に、本実施形態に係るＩＣカードアプリケーション管理システムを用いたビジネスモデルの全体構成を示す。本ビジネスモデルは、発行済みのＩＣクレジットカード５に、他社提供サービス用アプリケーションをインストールする手段を提供するものである。
本ビジネスモデルにおける顧客２の申込からＩＣチップ５ａへのインストールまでの一連の流れを、図６を参照にしながら説明する。図６に示すように、ステップ３０１において、顧客２による他社提供サービスに対する申込情報が、他社システム５０に登録される。「他社提供サービス」としては、例えば、銀行提供の金融取引サービス、セキュリティ会社提供の自宅セキュリティ管理（電子鍵）サービス、公共機関提供の身分証明書（運転免許証、保険証）管理サービス、定期券サービス、駐車場の料金支払サービス、ポイントサービス、趣味趣向の情報管理サービス、固定施設の入退出管理サービス、モバイル端末でのクレジット認証サービス、情報更新サービス等が挙げられる。
ステップ３０２において、他社システム５０が、上述の申込情報に応じてアプリケーション生成要求を生成し、ネットワーク１を介して中央センター装置２０に送信する。中央センター装置２０のアプリケーション生成要求受信部２７が、上述のアプリケーション生成要求を受信する。
ステップ３０３において、中央センター装置２０のアプリケーション生成要求受信部２７が、受信したアプリケーション生成要求に応じて、該当するアプリケーションを、申込を行った顧客２に関連付けてアプリケーション記憶部２４に記憶する。この結果、顧客２が申込を行った他社提供サービス用のアプリケーションが、顧客２に関連付けられてアプリケーション記憶部２４に記憶されることとなる。
ステップ４０１において、顧客２が、発行済みのＩＣクレジットカード５をＩＣカード処理部３１（４１）に挿入し、ユーザインターフェイス部３２（４２）を介して、顧客２のＩＣクレジットカード５のＩＣチップに対してインストールするアプリケーションのダウンロードするための指示を入力する。
ステップ４０２において、ダウンロード要求送信部３３（４３）が、ＩＣカード処理部３１（４１）により読み取られた「会員番号」及び「ＩＣチップ５ａのシリアル番号」と、上述のダウンロードを行うための指示とに応じて、ダウンロード要求を生成し、ネットワーク１を介して中央センター装置２０に送信する。そして、ダウンロード要求受信部２５が、このダウンロード要求を受信する。
ステップ４０３において、アプリケーション送信部２６が、このダウンロード要求に基づいて、アプリケーション記憶部２４を検索し、該当するアプリケーションを抽出し、このアプリケーションをネットワーク１を介して、ＡＴＭ３０（ダウンロード装置４０）に送信する。そして、アプリケーション受信部３４（４４）が、このアプリケーションを受信する。
ステップ４０４において、ＩＣカード処理部３１（４１）が、上述のアプリケーションを、ＩＣクレジットカード５のＩＣチップ５ａにインストールする。この結果、ＩＣクレジットカード発行元が提供するサービス用アプリケーションに加えて、他社提供サービス用アプリケーションが、ＩＣクレジットカード５のＩＣチップ５ａにインストールされることとなる。
本ビジネスモデルを用いた具体的な例として、以下に三つを挙げる。
（１）一つ目として、銀行等の金融機関との提携によるＩＣクレジットカードの展開が挙げられる。この場合、顧客２は、上述の金融機関の窓口において、キャッシュカードやローン等の申込に加えて、クレジットカードの申込を行う。上述の金融機関のシステム５０は、この申込を行った顧客２の審査を行い、与信が認められた場合、この顧客２の「申込情報」を、中央センター装置２０に送信する。そして、中央センター装置２０の与信審査部２１が、この「申込情報」に応じて顧客２に対する与信審査を行い、与信が認められた場合、発行情報送信部２３が、上述の発行情報を生成し、ネットワーク１を介してＩＣカード発行装置１０に送信する。ＩＣカード発行装置１０のＩＣカード発行部１４が、アプリケーションがインストールされていない状態のＩＣクレジットカードを発行する。
また、上述の金融機関のシステム５０は、この申込を行った顧客２に対する与信が認められた場合、申込が行われたサービス用アプリケーションに係るアプリケーション生成要求を生成し（ステップ３０１）、中央センター装置２０に送信する（ステップ３０２）。その後、アプリケーション生成要求受信部２７が、このアプリケーション生成要求に応じて、該当するアプリケーションを生成し、申込を行った顧客２に関連付けてアプリケーション記憶部２４に記憶する（ステップ３０３）。
その後、上述のステップ４０１乃至４０４の手順に従って、上述のアプリケーションをＩＣクレジットカード５のＩＣチップ５ａにインストールする。この場合のＩＣチップ５ａの記憶内容は、図８（ａ）に示すように、「ＩＣ−ＯＳ」の他に、クレジットカード会社提供サービス用アプリケーション「ＬＩＦＥクレジットカード用アプリケーション」と、金融機関提供サービス用アプリケーション「預金入出金用アプリケーション」「ローン用アプリケーション」とを含む。金融機関提供サービス用アプリケーションとしては、他にマルチペイメントサービス用アプリケーション等が挙げられる。
この結果、ＩＣクレジットカード５において、クレジットカードと比較して携帯率の高い銀行カード（銀行による金融取引サービスに対応する機能を具備するカード）と、クレジットカードとの融合を図ることができ、顧客２の利用契機の拡大を図ることができる。
（２）二つ目として、セキュリティ会社との提携によるＩＣクレジットカードの展開が挙げられる。この場合、顧客２は、上述のセキュリティ会社で、ＩＣクレジットカード一体型電子鍵の申込を行う（ステップ３０１）。セキュリティ会社のシステム５０は、独自の入会審査後に、この申込情報を登録し、この申込情報に応じて、上述のアプリケーションン生成要求を生成し（ステップ３０１）、ネットワーク１を介して中央センター装置２０に送信する（ステップ３０２）。そして、アプリケーション生成要求受信部２７が、このアプリケーションン生成要求に応じて、該当するアプリケーション（電子鍵アプリケーション）を生成し、申込を行った顧客２に関連付けてアプリケーション記憶部２４に記憶する（ステップ３０３）。その後、上述のステップ４０１乃至４０４に従って、上述のアプリケーションをＩＣクレジットカード５のＩＣチップ５ａにインストールする。この場合のＩＣチップ５ａの記憶内容は、図８（ｂ）に示すように、「ＩＣ−ＯＳ」の他に、クレジットカード会社提供サービス用アプリケーション「ＬＩＦＥクレジットカード用アプリケーション」と、セキュリティ会社提供サービス用アプリケーション「自宅鍵用アプリケーション」とを含む。
この結果、ＩＣクレジットカード５内に電子鍵の機能が具備されることにより、このＩＣクレジットカード５の携帯率が高くなり、顧客２の利用契機の拡大を図ることができる。
（３）三つ目として、他社に対して、ＩＣクレジットカード５のＩＣチップ５ａ内で使用していない記憶領域を貸与するサービスを提供するケースが挙げられる。
この場合、上述のステップ４０１乃至４０４の手順に従って、顧客２は、自身が望む他社提供サービス用アプリケーションを、ＩＣクレジットカード５のＩＣチップ５ａにインストールすることができる。この場合のＩＣチップ５ａの記憶内容は、図８（ｃ）に示すように、「ＩＣ−ＯＳ」の他に、クレジットカード会社提供サービス用アプリケーション「ＬＩＦＥクレジットカード用アプリケーション（アプリケーション１）」と、他社提供サービス用アプリケーション「アプリケーション２」「アプリケーション３」とを含む。
この結果、ＩＣクレジットカード５に携帯率の高い機能を併せ持つことにより、個人のファーストカードとなり、利用頻度の拡大につながる。また、このビジネスモデルを採用することにより、ＩＣクレジットカード５のＩＣチップ５ａの記憶領域貸与サービスを提供することが可能となる。
産業上の利用可能性
以上説明したように本発明に係るＩＣカード用アプリケーション管理システムによれば、ＩＣカードの発行の際に、ＩＣカード発行装置１０のＩＣカード発行部１４が、中央センター装置２０により送信された発行情報をＩＣカードに記録することによってＩＣカードを発行し、アプリケーションのインストールを行わないので、ＩＣカードの発行にかかる時間を短縮することができる。また、本発明に係るＩＣカード用アプリケーション管理システムによれば、ＩＣカードの発行の後に、ＡＴＭ３０又はダウンロード装置４０のダウンロード要求部３３（４３）が、ダウンロード要求を送信し、ＡＴＭ３０又はダウンロード装置４０のＩＣカード処理部３１（４１）が、中央センター装置２０により送信されたアプリケーションを、前記ＩＣカードにインストールするので、インストールするアプリケーションを追加・変更することができる。
【図面の簡単な説明】
図１は、本発明の一実施形態に係るＩＣカード用アプリケーション管理システムの全体構成図である。
図２は、本発明の一実施形態に係るＩＣカード発行装置の概略機能を示すブロック図である。
図３は、本発明の一実施形態に係る中央センター装置の概略機能を示すブロック図である。
図４は、本発明の一実施形態に係るＡＴＭ及びダウンロード装置の概略機能を示すブロック図である。
図５は、本発明の一実施形態に係るＩＣカード用アプリケーション管理システムにおいて、ＩＣクレジットカードを発行する動作を示すタイムチャート図である。
図６は、本発明の一実施形態に係るＩＣカード用アプリケーション管理システムにおいて、ＩＣクレジットカードのＩＣチップにアプリケーションをインストールする動作を示すタイムチャート図である。
図７は、本発明の一実施形態に係るＩＣカード用アプリケーション管理システムを用いたビジネスモデルを示す図である。
図８は、本発明の一実施形態に係るＩＣクレジットカードの概略機能を示す図である。
【図１】
2002093443.tif 000003
【図２】
2002093443.tif 000004
【図３】
2002093443.tif 000005
【図４】
2002093443.tif 000006
【図５】
2002093443.tif 000007
【図６】
2002093443.tif 000008
【図７】
2002093443.tif 000009
【図８】
2002093443.tif 000010
【国際調査報告】
2002093443.tif 000011
2002093443.tif 000012
2002093443.tif 000013